(57)【要約】      （修正有）【課題】商品の元価格および商品の内容を示す情報が印字されたタグ（下げ札）に貼付する値下げラベルに関し、特にタグに印字された情報を隠すことなく貼付できる値下げラベルを提供する。【解決手段】粘着剤を有するラベル２０を台紙に仮着した値下げラベル１であって、台紙はラベル２０の粘着剤に接する面に設けられた剥離剤を有し、スリットによって剥離可能な剥離片１１と値下げ情報１３が印字された表示片１２に区画されている。【選択図】図５
2008111926.tif 000002
【特許請求の範囲】
【請求項１】
粘着剤を有するラベルを台紙に仮着した値下げラベルであって、
前記台紙は前記ラベルの粘着剤に接する面に設けられた剥離剤を有し、切離し部によって剥離片と値下げ情報が印字された表示片に区画されていることを特徴とする値下げラベル。
【請求項２】
前記台紙の表示片には感熱発色層が形成されてなることを特徴とする請求項１記載の値下げラベル。
【発明の詳細な説明】
【技術分野】
【０００１】
本発明は、商品価格の値下げに使用するラベルに関し、特に商品に取り付けられ、商品価格が印字されたタグ（下げ札）に貼付する値下げラベルに関する。
【背景技術】
【０００２】
従来から商品の販売促進を目的として時間帯割引などで「半額」や「３０％ＯＦＦ」等の値下げ情報を印刷した値下げラベルを貼付し、商品価格の値下げが行われている。このような値下げによる販売促進において、タグ（下げ札）に印字された商品の元価格情報に重ねて、値下げ後の値下げ価格情報を印字したラベルをタグに貼付することで行われている。
商品の元価格を表示したラベルが貼付された商品に値下げ価格情報を表示した値下げラベルを貼付することで販売促進を目的とした値下げ方法が知られている（例えば特許文献１）。
【０００３】
【特許文献１】特開２００３−４３９１８号公報
【発明の開示】
【発明が解決しようとする課題】
【０００４】
ところで、衣料品等の価格を表示するものとして一般的にタグ（下げ札）が用いられ、厚紙のタグの上方に形成された孔に紐などで輪を形成し、この紐を衣料品のボタンなどに吊り下げる方法がとられている。一般的に商品の割引は、特許文献１のように割引額を印字したラベルを貼付することで行われており、タグが吊り下げられた衣料品の割引においてもこのような値下げラベルが用いられている。しかしながら、タグの印字領域は限られたスペースしかなく、タグには商品に関する情報（例えば商品の名称やサイズ、色、元価格など）が印字され、何も印字していない余白スペースは狭く、タグ表面に値下げラベルを貼付するとこれらの情報を値下げラベルで隠してしまうという問題があった。
本発明は、商品に関する情報が印字されたタグに貼付するラベルに関し、特にタグの情報を隠さずに貼付できる値下げラベルを提供することを目的とする。
【課題を解決するための手段】
【０００５】
粘着剤を有するラベルを台紙に仮着した値下げラベルであって、前記台紙は前記ラベルの粘着剤に接する面に設けられた剥離剤を有し、切離し部によって剥離片と値下げ情報が印字された表示片に区画されていることを特徴とする。
前記台紙の表示片には感熱発色層が形成されてなることを特徴とする。
【発明の効果】
【０００６】
剥離片を剥すことによって表出する粘着剤と表示片に印字された値下げ情報が同一平面上に現れるので、タグの印字反対面に貼付することでタグの商品情報と値下げラベルの値下げ情報を視認することができる。
【発明を実施するための最良の形態】
【０００７】
以下、図面を参照しながら発明を実施するための最良の形態について説明する。
【０００８】
図１は、本発明の実施の形態に係る値下げラベルの平面図であり、図１（ａ）は、値下げラベルの一方側からみた平面図で、図１（ｂ）は値下げラベルの他方側から見た平面図である。図２は、図１におけるＡ−Ａ線上の断面図で、図３は、値下げラベルを複数連接させロール状に巻回したロール紙の斜視図である。
値下げラベル１は、ラベル基材２と粘着剤３からなるラベル２０と、剥離剤４と台紙基材５からなる台紙２１を有しており、図２に示すように上層から順に積層されたラベル基材２と、粘着剤３と、剥離剤４と、台紙基材５を有している。
ラベル基材２には、図示しないプリンタによって台紙基材５上の適正な位置に印字するための位置を検出するための検出マーク６がラベル基材２の幅方向両端に設けられている。
粘着剤３は、ラベル基材２の一面に塗布されており、この粘着剤３により後述するタグ３０に値下げラベル１を貼付可能としている。
剥離剤４は、台紙基材５上に塗布したシリコンであり、ラベル２０の粘着剤３と接し、後述する剥離片１１を剥離可能に仮着している。
台紙基材５は、印字適正に優れた材質で構成され、長手方向に直交する方向に一端部から他端部まで形成されたスリット７（切離し部）が形成されている。また、台紙２１は、そのスリット７を境にして面積の狭い剥離片１１と、スリット７を境にして剥離片１１よりも面積の広い表示片１２を有する。また、図３に示すように切離しミシン目８を介して値下げラベル１を複数連接させたラベル連続体９をロール状に巻回したロール紙１０として形成され、図示しないプリンタで印字搬送できるようになっている。図３のロール紙１０は、ラベル２０を外周側とし、台紙２１を内周側として巻回されている。尚、ラベル連続体９に切離しミシン目８を形成せずにプリンタのカッタで切断するようにしても良い。
【０００９】
図４は、値下げ情報を印字したラベル連続体の平面図で、図５は値下げラベルの貼り付け工程を説明する説明図である。図示しないプリンタの入力部から入力した情報またはプリンタに接続されたコンピュータからコマンド送信された情報に基づき台紙基材５に印字を行う。例えば、インクリボンを備えたプリンタが使用され、サーマルヘッドにより加熱され溶解したインクリボンのインクを台紙基材５の表示片１２に転写させることにより図４に示すように台紙基材５に値下げ情報１３が印字される。また、インクリボン以外の方法で印字しても良く、例えば台紙基材５の剥離剤４の反対側の面の表示片１２に所定の熱を加えると発色する感熱発色層を設けて印字しても良い。また、この感熱発色層を異なる温度帯で発色する２色（例えば赤と黒）または３色以上の複数色の感熱発色層で構成し、値下げ情報がより一層目立つように印字しても良い。図４における値下げ情報１３は、「この用品は表示価格より  レジにて  半額」という内容にしたが、これに限るものではなく「３０％ＯＦＦ」「５００円引き」等の割引情報や値下げ後の価格情報やバーコードであっても良く、この割引情報や値下げ後の価格情報に加えて「割引セール期間２８日土曜日まで」等のセール期間情報等を印字しても良い。
【００１０】
上述したように値下げ情報を印字した値下げラベルをタグに貼付する方法について説明する。印字されたラベル連続体９から値下げラベル１を図４に示す切離しミシン目８から切離し、図５に示すように台紙２１の一部である剥離片１１を取り除く。剥離片１１を取り除くことによってラベル２０の粘着剤３が部分的に表出するのでこの表出した粘着剤３によってタグに値下げラベル１を貼付する。
【００１１】
図６は、値下げラベルをタグに貼付した状態を示す平面図で、図６（ａ）はタグの印字面側から見た平面図で、図６（ｂ）はタグの印字面とは反対の面からみた平面図である。図６に示すようにタグ３０は、衣料品等の商品に吊り下げるための紐３１を通す孔３２が形成され、印字面に商品情報３３が印字されている。商品情報３３は、商品の内容情報、元価格情報、バーコード等からなり、この商品情報３３は図示しないプリンタにより印字されている。例えば、図６に示す本実施の形態の商品は、服などの衣料品を想定しており、その商品の内容情報として「Ｎｏ．１２３４５６７８９」との商品管理番号と、「ＳＩＺＥ  Ｍ  ＣＯＬＯＲ  Ｂ」として服のサイズがＭで色が青（Ｂｌｕｅの頭文字）であることを示す情報と、「毛５０％アクリル５０％」としてその服の材質に関する情報が印字されている。また、元価格情報として「￥１９８０」の消費税込みの総額が印字されている。バーコードは、商品管理番号等が記憶されており、このバーコードをＰＯＳレジに接続されたスキャナで読取り、商品の価格情報が記憶されたストアコントローラから価格情報を問い合わせるシステム構成となっている。
【００１２】
以上のようなタグ３０の商品情報３３が印字されていない側の面に値下げラベル１を貼付する。剥離片１１を取り除く事で表出した粘着剤３によりタグ３０の印字面とは反対側の面に貼付することで、タグ３０の商品情報３３と値下げラベル１の表示片１２に印字した値下げ情報１３を同一方向から視認することができるようになる（タグの印字面と値下げラベルの表示片が同一平面上にあらわれる）。このように値下げラベル１の貼付する面をタグ３０の印字面とは反対側の面とすることにより、タグ３０の商品情報３３を隠すことなく、値下げラベル１を貼付することができる。
また、台紙基材５に値下げ情報１３を印字することによって、剥離片１１を剥す事によって表出する粘着剤３と値下げ情報１３が同一平面状に存在するので、そのままタグ３０の印字面とは反対側の面に貼付するとタグ３０の商品情報３３と値下げラベル１の値下げ情報１３を同一方向から視認することができる。
【００１３】
また、図７は、他の実施の形態を示す値下げラベル５０の平面図である。前述した実施形態と異なる点は単位ラベル毎にラベルを型抜きしたもので、ラベル基材上の検出マークが存在しない点である。図７（ａ）は、値下げラベル５０の一方側からみた平面図で、図７（ｂ）は値下げラベルの他方側から見た平面図で、図８は、図７におけるＢ−Ｂ線上の断面図である。
【００１４】
値下げラベル５０は、ラベル基材５１と粘着剤５２からなるラベル７０と、剥離剤５３と台紙基材５４からなる台紙７１を有しており、図８に示すように上層から順にラベル基材５１、粘着剤５２、剥離剤５３、台紙基材５４が積層されている。
ラベル基材５１は、印字適正に優れた材質から構成され、台紙基材５４よりも幅方向および長手方向が短く面積が狭く構成されている。
粘着剤５２は、ラベル基材５１の一面に塗布されており、この粘着剤５１によりタグ３０に値下げラベル５０を貼付可能としている。
剥離剤５３は、台紙基材５４上に塗布したシリコンであり、ラベル２０の粘着剤５２と接し、後述する剥離片５６を剥離可能に仮着している。
台紙基材５４は、ラベル基材５１と同様に印字適正に優れた材質で構成され、長手方向に直交する幅方向の一端部から他端部にわたって形成されたスリット５５（切離し部）が形成されている。また、台紙７１は、そのスリット５５を境にして後述の表示片５７よりも面積の狭い剥離片５６と、スリット５５を境にして剥離片５６よりも面積の広い表示片５７を有する。また、図示しないが長手方向に連続にした台紙７１上に複数のラベルを長手方向に並べて仮着したラベル連続体をロール状に巻回したロール紙として形成され、図示しないプリンタで印字搬送できるようになっている。ラベル連続体から図示しないプリンタのカッタによって一単位毎の値下げラベル５０に切離し可能としている。尚、台紙上に仮着されたラベルと次のラベルの間に切離しミシン目を形成し、カッタを用いずに人手で切断できるように構成しても良い。
【００１５】
プリンタの構成としては、発光素子と受光素子がラベル連続体を挟んで対向するように設けた透過センサによる透過率の差によって台紙７１またはラベル７０の位置を検出し、これを元に適正な位置で印字し切断を行う。すなわち、ラベル７０が台紙７１に仮着されている部分はラベル７０と台紙７１の２層の基材が存在するため、発光素子から出射された光の透過率が低く、受光素子で受光する光の量が少ない。また、台紙７１にラベル７０が仮着されていない部分（ラベルと次のラベル間の隙間位置）は、１層の基材のみであるため発光素子から出射された光の透過率が高く、受光素子で受光する光の量が多いこととなり、この光の透過率の差によって台紙７１またはラベル７０の位置を検出する。
【００１６】
図９（ａ）は、台紙基材５４の表示片５７に値下げ情報を印字した値下げラベル５０の一方の面から見た平面図で、図９（ｂ）は剥離片５６を除去した状態の値下げラベル５０の平面図である。印字においてはインクリボンを用いたり、例えば表示片５７に感熱発色層を設けて値下げ情報５８を表示片５７に印字し、図９（ａ）に示すように一単位の値下げラベル５０としてカッタにより切断される。
【００１７】
また、この値下げラベル５０をタグ３０に貼付するには図９（ｂ）に示すようにスリット５５に沿って剥離片５６を取り除き、ラベル７０の粘着剤５２を部分的に表出させ、タグ３０の商品情報３３が印字されていない面（印字面とは反対の面）に貼付する。このように値下げラベル５０の貼付する面をタグ３０の印字面とは反対側の面とすることにより、タグ３０の商品情報３３を隠すことなく、値下げラベル５０を貼付することができ、タグ３０の商品情報３３と値下げラベル７０の表示片５７に印字した値下げ情報５８を同一方向から視認することができる。
【００１８】
台紙基材５４の表示片５７のみに値下げ情報５８印字した例を説明したが、これに限定せず表示片５７と共にラベル基材５１にも値下げ情報５８を印字することもできる。図１０は、ラベル基材５１側と台紙基材５４の表示片５７に値下げ情報５８をそれぞれ印字した値下げラベル５０をタグ３０に貼付した平面図を示し、図１０（ａ）に示すようにタグ３０の印字面から見た平面図で、図１０（ｂ）はタグ３０の印字面と反対の面から見た平面図である。このように、値下げ情報５８をタグ３０の印字面および印字面と反対の面から視認可能とすることによって、紐３１で不安定な状態で吊り下げられたタグ３０が風などで回転して裏返っても商品が値下げ対象商品であることを確認することができ、販売機会を逃すことがない。
【００１９】
ところでプリンタで値下げラベル５０の表示片５７とラベル基材５１に印字する方法について説明する。図１１はプリンタ本体内部の状態を簡略的に説明するための図で、図１１（ａ）は台紙基材５４の表示片５７に印字する際においてロール紙をプリンタに装填した状態を示す概略斜視図、図１１（ｂ）はラベル基材側に印字する際においてロール紙をプリンタに装填した状態を示す概略斜視図である。
図１１（ａ）に示すようにプリンタは、ロール紙を回転可能に保持する供給部としての保持軸７３と、保持軸７３に装填されたロール紙から引き出されたラベル連続体の表面を押える補助ローラ７４と、補助ローラ７４の搬送方向下流側に設けられた印字部７５を有している。保持軸７３には軸方向にスライド可能なガイド７６が設けられており、このガイド７６によってロール紙の側面を規制している。印字部７５は、発熱体を有するサーマルヘッド７７と、図示しないモータに接続されて反時計方向に回転することによりラベル連続体を搬送するプラテンローラ７８からなっている。すなわち、プラテンローラ７８の回転により保持軸７３側である搬送方向上流側から印字部７５の位置する搬送方向下流側に向かってラベル連続体が搬送される。尚、図示しないがサーマルヘッド７７にはインクリボンが掛け渡され、インクリボンを保持するインクリボンユニットが設けられている。また、補助ローラ７４と印字部７５の間の位置に図示しない透過センサが設けられている。
【００２０】
まず、台紙基材５４の表示片５７に印字する場合、図１１（ａ）に示すように台紙基材５４がサーマルヘッド７７に当接するようにロール紙をセットし、この状態でプラテンローラ７８を回転すると共にサーマルヘッド７７の発熱体を発熱させて表示片５７に値下げ情報５８を印字する。
【００２１】
また、台紙基材５４の表示片５７に印字した後にラベル連続体を再度ロール紙に巻き戻し、図１１（ｂ）に示すようにラベル基材５１がサーマルヘッド７７に当接するようにロール紙をセットし、この状態でプラテンローラ７８を回転すると共にサーマルヘッド７７の発熱体を発熱させてラベル基材５１に値下げ情報５８を印字する。
また、台紙基材５４側とラベル基材５１側のそれぞれにサーマルヘッド７７を設けたプリンタにより、台紙基材５４とラベル基材５１の両面に一度で印字するようにしても良い。
【００２２】
なお、本発明が上記各実施の形態に限定されず、本発明の技術思想の範囲内において、各実施の形態は適宜変更され得ることは明らかである。また、上述した各種構成部材の数、位置、形状等は上記実施の形態に限定されず、本発明を実施する上で好適な数、位置、形状等にすることができる。例えば、剥離片を取り除くためのスリット（切離し部）をミシン目としても良い。
【図面の簡単な説明】
【００２３】
【図１】本発明の実施の形態に係る値下げラベルの平面図。
【図２】図１のＡ−Ａ線上の断面図。
【図３】ロール紙の斜視図。
【図４】値下げ情報を印字したラベル連続体の平面図。
【図５】値下げラベルの貼り付け工程を説明する説明図。
【図６】値下げラベルをタグに貼付した状態を示す平面図。
【図７】他の実施の形態の値下げラベルの平面図。
【図８】図７のＢ−Ｂ線上の断面図。
【図９】台紙基材の表示片に値下げ情報を印字した値下げラベルの平面図。
【図１０】ラベル基材側と台紙基材に値下げ情報を印字した値下げラベルをタグに貼付した状態の平面図。
【図１１】プリンタ本体内部の状態を簡略的に説明する説明図。
【符号の説明】
【００２４】
１    値下げラベル
２    ラベル基材
３    粘着剤
４    剥離剤
５    台紙基材
６    検出マーク
７    スリット
８    切離しミシン目
９    ラベル連続体
１０    ロール紙
１１    剥離片
１２    表示片
１３    値下げ情報
２０    ラベル
２１    台紙
３０    タグ
３１    紐
３２    孔
３３    商品情報
５０    値下げラベル
５１    ラベル基材
５２    粘着剤
５３    剥離剤
５４    台紙基材
５５    スリット
５６    剥離片
５７    表示片
５８    値下げ情報
７０    ラベル
７１    台紙
７３    保持軸
７４    補助ローラ
７５    印字部
７６    ガイド
７７    サーマルヘッド
７８    プラテンローラ
【図１】
2008111926.tif 000003
【図２】
2008111926.tif 000004
【図３】
2008111926.tif 000005
【図４】
2008111926.tif 000006
【図５】
2008111926.tif 000007
【図６】
2008111926.tif 000008
【図７】
2008111926.tif 000009
【図８】
2008111926.tif 000010
【図９】
2008111926.tif 000011
【図１０】
2008111926.tif 000012
【図１１】
2008111926.tif 000013